(57)【要約】【課題】操作キーを簡単にカスタマイズできる画像処理装置を提供する。【解決手段】画像処理装置１は、操作入力を受け付けるタッチパネル４１１と、タッチパネル４１１の画面で操作されるソフトキーを含む複数の操作キーと、原稿の画像を読み取る原稿読取部２００と、複数の操作キーの中でカスタマイズしたい操作キーを指示することができる指示用紙が予め用意されており、カスタマイズしたい操作キーについて指示されている指示用紙の画像が原稿読取部２００によって読み取られた場合、原稿読取部２００で読み取った指示用紙で指示されているカスタマイズしたい操作キーをカスタマイズするカスタマイズ部３３と、カスタマイズ部３３でカスタマイズされた操作キーをソフトキーとしてタッチパネル４１１の画面に表示させる制御をする表示制御部３１と、を備える。【選択図】図３
2011114446.tif 000002
【特許請求の範囲】
【請求項１】
操作入力を受け付けるタッチパネルと、
前記タッチパネルの画面で操作されるソフトキーを含む複数の操作キーと、
原稿の画像を読み取る原稿読取部と、
前記複数の操作キーの中でカスタマイズしたい操作キーを指示することができる指示用紙が予め用意されており、カスタマイズしたい操作キーについて指示されている前記指示用紙の画像が前記原稿読取部によって読み取られた場合、前記原稿読取部で読み取った前記指示用紙で指示されているカスタマイズしたい操作キーをカスタマイズするカスタマイズ部と、
前記カスタマイズ部でカスタマイズされた操作キーをソフトキーとして前記タッチパネルの画面に表示させる制御をする表示制御部と、を備えることを特徴とする画像処理装置。
【請求項２】
前記画像処理装置を使用するユーザを個人認証する認証部と、
前記カスタマイズ部でカスタマイズされた操作キーを前記認証部で個人認証されたユーザと対応させてユーザ毎に登録する登録部と、をさらに備えており、
前記認証部でユーザが個人認証された場合、該ユーザに対応するカスタマイズされた操作キーが前記登録部に登録されていれば、前記表示制御部は該ユーザに対応するカスタマイズされた操作キーを前記タッチパネルの画面に表示可能に制御をする、ことを特徴とする請求項１に記載の画像処理装置。
【請求項３】
画像を用紙に形成して出力する画像出力部と、
前記指示用紙の画像を予め記憶する画像記憶部と、
前記画像記憶部に記憶された画像データに基づいて前記指示用紙を前記画像出力部から出力させる指示用紙出力制御部と、をさらに備えることを特徴とする請求項２に記載の画像処理装置。
【請求項４】
追加機能部を追加可能に構成され、
前記カスタマイズ部は前記追加機能部が追加された場合、前記追加機能部が有する機能に応じて、前記指示用紙において指示することができる前記複数の操作キーの内容を変更するように、前記画像記憶部に記憶されている前記指示用紙の画像データを変更する、ことを特徴とする請求項３に記載の画像処理装置。
【請求項５】
前記認証部で個人認証されたユーザの操作履歴を記憶する履歴記憶部をさらに備えており、
前記認証部で個人認証されたユーザが前記指示用紙を出力する操作をした場合、前記画像出力部は前記履歴記憶部に記憶されている前記操作履歴を基にした、該ユーザの使用頻度が高い操作キーを示した前記指示用紙を出力する、ことを特徴とする請求項３又は４に記載の画像処理装置。
【請求項６】
前記指示用紙には前記原稿読取部で読み取られた原稿が前記指示用紙であることを前記カスタマイズ部に認識させる、前記原稿読取部で読み取り可能なコードが設けられており、
前記カスタマイズ部は前記原稿読取部で読み取られた原稿の画像に前記コードの画像が含まれていた場合、カスタマイズを実行することを特徴とする請求項１〜５のいずれかに記載の画像処理装置。
【請求項７】
前記コードはユーザ用とサービスマン用で区別されている、ことを特徴とする請求項６に記載の画像処理装置。
【発明の詳細な説明】
【技術分野】
【０００１】
本発明は例えばデジタル複合機のような原稿を読み取る機能を有する画像処理装置に関する。
【背景技術】
【０００２】
画像処理装置の一例であるデジタル複合機は多機能なので操作キーの数が多い。このためハードキーだけでは足りず、ソフトキーが設けられている。ソフトキーはデジタル複合機に設けられたタッチパネルの画面に表示される。タッチパネルでは画面を階層構造にして各画面にソフトキーを表示する。基本画面より下の階層の画面に表示される操作キーを使用するためには、画面を切り替える操作が必要となる。あるユーザにとって使用頻度が高い操作キーが階層の下層にある場合、そのユーザにとっては操作性が悪い。そこで、操作キーをカスタマイズする技術が提案されている。
【０００３】
画像処理装置の操作キー(操作ボタン)をカスタマイズする例として、ユーザがメニュー画面からカスタマイズ機能を選択することにより登録画面が表示され、その画面でボタン位置を指定した後、選択画面で例えば「両面片面選択」ボタンを選択して「決定」キーを操作することにより、「両面片面選択」ボタンが配置変更の対象として確定され、基本設定画面において上記ボタン位置に対応する位置に「両面片面選択」ボタンが表示される、ものがある(例えば特許文献１参照)。
【０００４】
また、別の例として、上位階層の画面にマーク選択ボタン、任意の下位階層の画面にマーク選択ボタンと対応させたしおりマークがそれぞれ配置されており、上位階層画面においてマーク選択ボタンを操作することにより、途中の階層画面の表示が省略されて、しおりマークを設けた下位階層の画面が表示される、ものがある(例えば特許文献２参照)。
【先行技術文献】
【特許文献】
【０００５】
【特許文献１】特開２００５−１９５８１６号公報
【特許文献２】特開２００２−２７８３７５号公報
【発明の概要】
【発明が解決しようとする課題】
【０００６】
特許文献１の技術において、タッチパネルの大きさはある程度決まっているので、カスタマイズできる操作キーを一覧表示できないことがある。また、多くの操作キーをカスタマイズする場合、操作キー毎に設定しなければならず、手間がかかる。さらに、もとの設定画面(例えば基本画面)に最初から表示されている項目数は減らせないので、カスタマイズできる操作キーの数は実質的にあまり多くできない。
【０００７】
特許文献２の技術において、カスタマイズ後はカスタマイズされた操作キーに短時間でアクセスできる。しかしながら、操作キー毎にカスタマイズの設定をしなければならないので、手間がかかる。
【０００８】
本発明は操作キーを簡単にカスタマイズできる画像処理装置を提供することを目的とする。
【課題を解決するための手段】
【０００９】
上記目的を達成する本発明の一の局面に係る画像処理装置は、操作入力を受け付けるタッチパネルと、前記タッチパネルの画面で操作されるソフトキーを含む複数の操作キーと、原稿の画像を読み取る原稿読取部と、前記複数の操作キーの中でカスタマイズしたい操作キーを指示することができる指示用紙が予め用意されており、カスタマイズしたい操作キーについて指示されている前記指示用紙の画像が前記原稿読取部によって読み取られた場合、前記原稿読取部で読み取った前記指示用紙で指示されているカスタマイズしたい操作キーをカスタマイズするカスタマイズ部と、前記カスタマイズ部でカスタマイズされた操作キーをソフトキーとして前記タッチパネルの画面に表示させる制御をする表示制御部と、を備えることを特徴とする。
【００１０】
この構成によれば、ユーザは複数の操作キーの中でカスタマイズしたい操作キーについて指示用紙で指示し、この指示用紙を原稿読取部によって読み取ることを利用して操作キーをカスタマイズすることができるので、操作キーを簡単にカスタマイズできる。
【００１１】
上記構成において、前記画像処理装置を使用するユーザを個人認証する認証部と、前記カスタマイズ部でカスタマイズされた操作キーを前記認証部で個人認証されたユーザと対応させてユーザ毎に登録する登録部と、をさらに備えており、前記認証部でユーザが個人認証された場合、該ユーザに対応するカスタマイズされた操作キーが前記登録部に登録されていれば、前記表示制御部は該ユーザに対応するカスタマイズされた操作キーを前記タッチパネルの画面に表示可能に制御をする、ようにすることができる。
【００１２】
この構成によれば、一台の画像処理装置を共用する複数のユーザにおいてユーザ毎に操作キーをカスタマイズできる。各ユーザはカスタマイズしたい操作キーを登録すれば、次回以降は指示用紙を読み取らせる操作をすることなく、個人認証することによりカスタマイズされた操作キーを利用できる。
【００１３】
上記構成において、画像を用紙に形成して出力する画像出力部と、前記指示用紙の画像を予め記憶する画像記憶部と、前記画像記憶部に記憶された画像データに基づいて前記指示用紙を前記画像出力部から出力させる指示用紙出力制御部と、をさらに備える、ようにすることができる。
【００１４】
この構成によれば、画像処理装置の画像出力部から指示用紙を出力できるので、指示用紙を画像処理装置の販売又はレンタル等の際に付属品として添付する必要がなくなる。
【００１５】
上記構成において、追加機能部を追加可能に構成され、前記カスタマイズ部は前記追加機能部が追加された場合、前記追加機能部が有する機能に応じて、前記指示用紙において指示することができる前記複数の操作キーの内容を変更するように、前記画像記憶部に記憶されている前記指示用紙の画像データを変更する、ようにすることができる。
【００１６】
この構成によれば、追加機能についても操作キーをカスタマイズできる。
【００１７】
上記構成において、前記認証部で個人認証されたユーザの操作履歴を記憶する履歴記憶部をさらに備えており、前記認証部で個人認証されたユーザが前記指示用紙を出力する操作をした場合、前記画像出力部は前記履歴記憶部に記憶されている前記操作履歴を基にした、該ユーザの使用頻度が高い操作キーを示した前記指示用紙を出力する、ようにすることができる。
【００１８】
この構成によれば、ユーザは自己の使用頻度が高い操作キーについて簡単にカスタマイズできる。
【００１９】
上記構成において、前記指示用紙には前記原稿読取部で読み取られた原稿が前記指示用紙であることを前記カスタマイズ部に認識させる、前記原稿読取部で読み取り可能なコードが設けられており、前記カスタマイズ部は前記原稿読取部で読み取られた原稿の画像に前記コードの画像が含まれていた場合、カスタマイズを実行する、ようにすることができる。
【００２０】
この構成によれば、原稿読取部で読み取られた原稿が指示用紙であることを画像処理装置に容易に認識させることができる。
【００２１】
上記構成において、前記コードはユーザ用とサービスマン用で区別されている、ようにすることができる。
【００２２】
この構成によれば、画像処理装置にユーザ用の指示用紙とサービスマン用の指示用紙を容易に区別して認識させることができる。
【発明の効果】
【００２３】
本発明によれば、操作キーを簡単にカスタマイズすることができる。
【図面の簡単な説明】
【００２４】
【図１】本発明の一実施形態に係る画像処理装置の内部構造の概略を示す図である。
【図２】上記画像処理装置の電気的な構成を示すブロック図である。
【図３】上記画像処理装置において操作キーのカスタマイズに関する機能ブロック図である。
【図４】一般のユーザ用の指示用紙の一例を示す図である。
【図５】上記実施形態に係る操作キーをカスタマイズする処理を示すフローチャートである。
【図６】タッチパネルの画面に表示されたカスタマイズされる前の操作キーの一例を示す図である。
【図７】タッチパネルの画面に表示されたカスタマイズされた操作キーの一例を示す図である。
【図８】タッチパネルの画面に表示されたカスタマイズされた操作キーの他の例を示す図である。
【図９】上記実施形態に係るカスタマイズされた操作キーをタッチパネルの画面に表示させる処理を示すフローチャートである。
【図１０】サービスマン用の指示用紙の一例を示す図である。
【図１１】タッチパネルの画面に表示されたカスタマイズされた操作キーのさらに他の例を示す図である。
【発明を実施するための形態】
【００２５】
以下、図面に基づいて本発明の実施形態を詳細に説明する。図１は本発明の一実施形態に係る画像処理装置１の内部構造の概略を示す図である。画像処理装置１は例えば、コピー、プリンタ、スキャナ及びファクシミリの機能を有するデジタル複合機に適用することができる。画像処理装置１は装置本体１００、装置本体１００の上に配置された原稿読取部２００、原稿読取部２００の上に配置された原稿給送部３００及び装置本体１００の上部前面に配置された操作表示部４００を備える。
【００２６】
原稿給送部３００は自動原稿送り装置として機能し、原稿載置部３０１に置かれた複数枚の原稿を連続的に原稿読取部２００に送ることができる。
【００２７】
原稿読取部２００はＣＣＤ(Charge Coupled Device)センサ及び露光ランプ等を搭載したキャリッジ２０１、ガラス等の透明部材により構成された原稿台２０３、及び原稿読取スリット２０５を備える。原稿台２０３に載置された原稿を読み取る場合、キャリッジ２０１を原稿台２０３の長手方向に移動させながらＣＣＤセンサにより原稿を読み取る。これに対して、原稿給送部３００から給送された原稿を読み取る場合、キャリッジ２０１を原稿読取スリット２０５と対向する位置に移動させて、原稿給送部３００から送られてきた原稿を、原稿読取スリット２０５を通してＣＣＤセンサにより読み取る。ＣＣＤセンサは読み取った原稿を画像データとして出力する。
【００２８】
装置本体１００は用紙貯留部１０１、画像形成部１０３及び定着部１０５を備える。用紙貯留部１０１は装置本体１００の最下部に配置されており、用紙の束を貯留することができる用紙トレイ１０７を備える。用紙トレイ１０７に貯留された用紙の束において、最上位の用紙がピックアップローラ１０９の駆動により、用紙搬送路１１１へ向けて繰り出される。用紙は用紙搬送路１１１を通って、画像形成部１０３へ搬送される。
【００２９】
画像形成部１０３は搬送されてきた用紙にトナー画像を形成する。画像形成部１０３は感光ドラム１１３、露光部１１５、現像部１１７及び転写部１１９を備える。露光部１１５は画像データ(原稿読取部２００から出力された画像データ、パソコンから送信された画像データ、ファクシミリ受信の画像データ等)に対応する光を生成し、一様に帯電された感光ドラム１１３の周面に照射する。これにより、感光ドラム１１３の周面には画像データに対応する静電潜像が形成される。この状態で感光ドラム１１３の周面に現像部１１７からトナーを供給することにより、周面には画像データに対応するトナー画像が形成される。このトナー画像は転写部１１９によって先ほど説明した用紙貯留部１０１から搬送されてきた用紙に転写される。
【００３０】
トナー画像が転写された用紙は定着部１０５に送られる。定着部１０５において、トナー画像と用紙に熱と圧力が加えられて、トナー画像を用紙に定着させる。用紙はスタックトレイ１２１又は排紙トレイ１２３に排紙される。
【００３１】
操作表示部４００にはハードキーからなる操作キーが設けられている。具体的にはスタートキー４０１、テンキー４０３、ストップキー４０５、リセットキー４０７、コピー、プリンタ、スキャナ及びファクシミリを切り換えるための機能切換キー４０９等が設けられている。また、操作表示部４００にはタッチパネル４１１が設けられている。タッチパネル４１１の画面には各種の操作及び動作の内容等が表示されると共にソフトキーからなる操作キーが表示される。
【００３２】
図２は図１に示す画像処理装置１の電気的な構成を示すブロック図である。画像処理装置１は装置本体１００、原稿読取部２００、原稿給送部３００、操作表示部４００、ＭＰＵ(Micro Processing Unit)５００、通信部６００、メモリ部７００及び個人情報読取部８００がバスによって相互に接続された構成を有する。装置本体１００、原稿読取部２００、原稿給送部３００及び操作表示部４００に関しては図１で説明しているので、説明を省略する。
【００３３】
ＭＰＵ５００は画像処理装置１を動作させるために必要な制御を、画像処理装置１を構成する上記ハードウェアに対して実行する。
【００３４】
通信部６００はファクシミリ通信部６０１及びネットワークＩ／Ｆ部６０３を備える。ファクシミリ通信部６０１は相手先ファクシミリとの電話回線の接続を制御するＮＣＵ(Network Control Unit)及びファクシミリ通信用の信号を変復調する変復調回路を備える。ファクシミリ通信部６０１は電話回線６０５に接続される。
【００３５】
ネットワークＩ／Ｆ部６０３はＬＡＮ(Local Area Network)６０７に接続される。ネットワークＩ／Ｆ部６０３はＬＡＮ６０７に接続されたパソコン等の端末装置との間で通信を実行するための通信インターフェイス回路である。
【００３６】
メモリ部７００はＲＯＭ(Read Only Memory)７０１、ＲＡＭ(Random Access Memory)７０３及び画像メモリ７０５を備える。ＲＯＭ７０１は画像処理装置１の動作の制御に必要なソフトウェアを記憶しており、フラッシュメモリ等により実現される。
【００３７】
ＲＡＭ７０３はソフトウェアの実行時に発生するデータの一時的な記憶及びアプリケーションソフトの記憶等に利用される。ＲＡＭ７０３はＳＲＡＭ(Static Random Access Memory)、ＤＲＡＭ(Dynamic Random Access Memory)等により実現される。
【００３８】
画像メモリ７０５は画像データ(原稿読取部２００から出力された画像データ、パソコンから送信された画像データ、ファクシミリ受信の画像データ等)を一時的に記憶する。画像メモリ７０５はＤＲＡＭ等で実現される。
【００３９】
個人情報読取部８００はユーザを個人認証して画像処理装置１が使用される際に個人情報を読み取る。個人認証が生体認証の場合は生体情報(例えば指紋)を読み取るリーダが個人情報読取部８００となる。また、個人認証がＩＤカード認証の場合はＩＤカードを読み取るリーダが個人情報読取部８００となる。
【００４０】
図３は画像処理装置１において操作キーのカスタマイズに関する機能ブロック図である。画像処理装置１はタッチパネル４１１、原稿読取部２００、表示制御部３１、カスタマイズ部３３、認証部３５、登録部３７、画像出力部３９、画像記憶部４１、履歴記憶部４３、指示用紙出力制御部４５及び追加機能部４７を備える。各機能ブロックの詳細は後で説明する。
【００４１】
上述したように、操作表示部４００には画像処理装置１の操作に用いられるタッチパネル４１１及び複数の操作キーが設けられている。複数の操作キーはスタートキー４０１等のハードキー及びタッチパネル４１１の画面で操作されるソフトキーにより構成される。
【００４２】
本実施形態に係る画像処理装置１は指示用紙を用いて操作キーをカスタマイズすることを一つの特徴とする。図４は指示用紙１１の一例を示す図である。指示用紙１１は予め用意されている。指示用紙１１はコピー機能の欄とスキャナ機能／ファクシミリ送信機能の欄に分けられて、カスタマイズすることができる操作キーの名称とチェックボックス１３が印刷されている。ユーザはカスタマイズしたい操作キーについてチェックボックス１３に鉛筆等でチェックマーク１５を記載することにより、複数の操作キーの中でカスタマイズしたい操作キーを指示することができる。ハードキーについてもカスタマイズの対象にすることができる。例えば、スタートキー４０１をカスタマイズしたい操作キーとして指示すれば、スタートキー４０１をソフトキーとしてタッチパネル４１１の画面に表示できる。
【００４３】
指示用紙１１にはＱＲコードからなるコード１７が設けられている。コード１７は原稿読取部２００で読み取り可能であり、原稿読取部２００で読み取られた原稿が操作キーのカスタマイズを指示する指示用紙１１であることを画像処理装置１に認識させる。コード１７は指示用紙１１毎に区別されている。これにより、一台の画像処理装置１においてユーザ毎に操作キーをカスタマイズできるようにしている。コード１７は指示用紙１１に印刷してもよいし、シールとして貼り付けるようにしてもよい。コード１７としてバーコードを用いることもできる。
【００４４】
コード１７の替わりに指示用紙１１に固有の番号を予め印刷しておき、原稿読取部２００でその番号を読み取ることにより、操作キーのカスタマイズを指示する指示用紙１１であることを画像処理装置１に認識させてもよい。
【００４５】
チェックボックス１３にチェックマーク１５が記載された指示用紙１１、すなわちカスタマイズしたい操作キーについて指示されている指示用紙１１を用いて、画像処理装置１において操作キーをカスタマイズする処理が実行される。図５は本実施形態に係る操作キーをカスタマイズする処理を示すフローチャートである。ユーザは図１の原稿台２０３又は原稿給送部３００に上記指示済みの指示用紙１１をセットして、スタートキー４０１を操作する(ステップＳ１)。これにより、原稿読取部２００によって、カスタマイズしたい操作キーについて指示されている指示用紙１１の読み取りが実行される。原稿読取部２００はコピー、ファクシミリ及びスキャナの機能の実行時に原稿を読み取る。原稿読取部２００を利用して指示用紙１１の読み取りを実行する。
【００４６】
原稿読取部２００が指示用紙１１に設けられたコード１７を読み取ることができず、カスタマイズ部３３がコード１７の認識に成功しなければ(ステップＳ３でＮｏ)、操作キーがカスタマイズされずに処理が終了する。
【００４７】
原稿読取部２００がコード１７を読み取って、カスタマイズ部３３がコード１７の認識に成功すれば(ステップＳ３でＹｅｓ)、ユーザ登録する時に用いる登録番号を割り当てる。そして、カスタマイズ部３３が指示用紙１１に記載されたチェックマーク１５の認識に成功したか否か判断される(ステップＳ５)。成功しない場合(ステップＳ５でＮｏ)、ステップＳ３のＮｏと同じ処理がされる。
【００４８】
カスタマイズ部３３がチェックマーク１５の認識に成功すれば(ステップＳ５でＹｅｓ)、チェックボックス１３に記載されたチュックマーク１５を基にして、指示用紙１１でカスタマイズが指示されている操作キーを分類する(ステップＳ７)。具体的には、コピー機能で使用される操作キーとスキャナ機能／ファクシミリ送信機能で使用される操作キーに分類する。そして、チェックボックス１３に記載されたチュックマーク１５の数をカウントする(ステップＳ９)。
【００４９】
チェックマーク１５の数とカスタマイズをする操作キーの名称をタッチパネル４１１に表示する(ステップＳ１１)。ユーザはその表示を見て、自身がカスタマイズしたい操作キーとその数を確認する。問題があればユーザはカスタマイズする操作キーを確定する操作をせずに(ステップＳ１３でＮｏ)、カスタマイズを中止する操作をする。これにより、ステップＳ３のＮｏと同じ処理がされる。
【００５０】
問題がなければユーザは操作表示部４００に設けられた確定キー(決定キー)を操作して、カスタマイズする操作キーを確定する(ステップＳ１３でＹｅｓ)。これにより、カスタマイズ部３３はユーザがカスタマイズを要求した操作キーの数に応じて、操作キーの大きさ、形及び配置を自動的に決定する(ステップＳ１５)。そして、表示制御部３１はカスタマイズされた操作キーをソフトキーとしてタッチパネル４１１の画面に表示する(ステップＳ１７)。
【００５１】
図６はタッチパネル４１１の画面に表示されたカスタマイズされる前の操作キーを示している。図７及び図８はタッチパネル４１１の画面に表示されたカスタマイズされた操作キー１９の例を示している。図７はコピー機能の基本画面を示しており、図８はファクシミリ送信機能の基本画面を示している。
【００５２】
次に、ユーザ登録の操作がされたか否か判断される(ステップＳ１９)。ユーザ登録の操作がされなければ(ステップＳ１９でＮｏ)、カスタマイズ部３３によってステップＳ３のＮｏと同じ処理がされる。ユーザ登録の操作がされた場合(ステップＳ１９でＹｅｓ)、登録部３７によってそのカスタマイズされた操作キーがそのユーザと対応させてメモリ部７００に記憶される。これにより、カスタマイズされた操作キーを個人認証されたユーザと対応させてユーザ毎に登録される(ステップＳ２１)。
【００５３】
生体認証又はＩＤカード認証によってユーザ登録をする場合は、図２の個人情報読取部８００を利用してユーザ登録をする。暗証番号によってユーザ登録をする場合は、操作表示部４００に設けられた操作キーを利用してユーザ登録をする。
【００５４】
次に、図５で説明したカスタマイズされた操作キーをタッチパネル４１１の画面に表示させる処理について説明する。図９はこの処理を示すフローチャートである。まず、認証部３５においてユーザが個人認証されたか否か判断される(ステップＳ３１)。個人認証されなければ(ステップＳ３１でＮｏ)、表示制御部３１によって操作キーがカスタマイズされていない通常の基本画面がタッチパネル４１１に表示される(ステップＳ３３)。
【００５５】
個人認証された場合(ステップＳ３１でＹｅｓ)、表示制御部３１によってそのユーザに対応するカスタマイズされた操作キーが登録されているか否か判断される(ステップＳ３５)。登録されていなければ(ステップＳ３５でＮｏ)、表示制御部３１によってステップＳ３３の処理が実行される。登録されていれば(ステップＳ３５でＹｅｓ)、表示制御部３１がカスタマイズされた操作キーを使用するか否かを選択させる画面をタッチパネル４１１に表示する(ステップＳ３７)。これは、操作キーがカスタマイズされていない通常の基本画面をユーザが使用したい場合を考慮したものである。
【００５６】
ユーザがカスタマイズされた操作キーを使用する選択をした場合(ステップＳ３９でＹｅｓ)、表示制御部３１がカスタマイズされた操作キーの画面をタッチパネル４１１に表示する(ステップＳ４１)。一方、ユーザがカスタマイズされた操作キーを使用する選択をしなければ(ステップＳ３９でＮｏ)、表示制御部３１によって操作キーがカスタマイズされていない通常の基本画面がタッチパネル４１１に表示される(ステップＳ４３)。
【００５７】
ステップＳ４３の通常の基本画面にはカスタマイズされた操作キーを使用するか否かを選択する操作キーが設けられている。この操作キーを操作しなければ(ステップＳ４５でＮｏ)、表示制御部３１によってステップＳ４３の処理がされる。これに対して、通常の基本画面を選択したが、カスタマイズされた操作キーを利用したい場合が生じれば、カスタマイズされた操作キーを使用する選択をする(ステップＳ４５でＹｅｓ)。これにより、表示制御部３１によってステップＳ４１の処理がされる。
【００５８】
ここで、ステップＳ３，Ｓ５，Ｓ７，Ｓ９，Ｓ１１，Ｓ１３，Ｓ１５等の処理は図３のカスタマイズ部３３により実行される。カスタマイズ部３３はカスタマイズしたい操作キーについて指示されている指示用紙１１の画像が原稿読取部２００によって読み取られた場合、原稿読取部２００で読み取った指示用紙１１で指示されているカスタマイズしたい操作キーをカスタマイズする。カスタマイズ部３３はＭＰＵ５００及びメモリ部７００等により実現される。
【００５９】
ステップＳ２１，Ｓ３１等の処理は画像処理装置１を使用するユーザを個人認証する図３の認証部３５により実行される。認証部３５はＭＰＵ５００、メモリ部７００及び個人情報読取部８００等により実現される。
【００６０】
ステップＳ１９，Ｓ２１等の処理は登録部３７により実行される。登録部３７はカスタマイズ部３３でカスタマイズされた操作キーを認証部３５で個人認証されたユーザと対応させてユーザ毎に登録をする。登録部３７はＭＰＵ５００及びメモリ部７００等により実現される。
【００６１】
ステップＳ１７，Ｓ３５，Ｓ４１，Ｓ４３，Ｓ４５等の処理は表示制御部３１により実行される。表示制御部３１はカスタマイズ部３３でカスタマイズされた操作キーをソフトキーとしてタッチパネル４１１の画面に表示させる制御をする。また、表示制御部３１は認証部３５でユーザが個人認証された場合、該ユーザに対応するカスタマイズされた操作キーが登録部３７に登録されていれば、該ユーザに対応するカスタマイズされた操作キーをタッチパネル４１１の画面に表示可能に制御をする。表示制御部はＭＰＵ５００及びメモリ部７００等により実現される。
【００６２】
本実施形態の主な効果は以下の通りである。
【００６３】
(１)複数の操作キーの中でカスタマイズしたい操作キーについて指示用紙１１で指示し、この指示用紙１１を原稿読取部２００によって読み取ることを利用して操作キーをカスタマイズしている。これにより、多くの操作キーを一度にカスタマイズすることができる。また、ユーザに必要な操作キーだけを一度にカスタマイズすることができる。さらに、カスタマイズしたい複数の操作キーがタッチパネル４１１の画面の別々の階層に存在する場合でも、複数の操作キーを一度にカスタマイズすることができる。したがって、本実施形態によれば操作キーを簡単にカスタマイズできる。
【００６４】
(２)カスタマイズすることができる操作キーの一覧を指示用紙１１に記載している。したがって、ユーザはタッチパネル４１１の画面を切り替えることによって操作キーを探す場合に比べて、カスタマイズしたい操作キーを容易に探すことができる。
【００６５】
(３)カスタマイズされた操作キーを個人認証されたユーザと対応させてユーザ毎に登録している。これにより、一台の画像処理装置１を共用する複数のユーザにおいてユーザ毎に操作キーをカスタマイズできる。各ユーザはカスタマイズしたい操作キーを登録すれば、次回以降は指示用紙１１を読み取らせる操作をすることなく、個人認証することによりカスタマイズされた操作キーを利用することが可能となる。
【００６６】
(４)指示用紙１１には原稿読取部２００で読み取り可能なコード１７が設けられている。コード１７は原稿読取部２００で読み取られた原稿が指示用紙１１であることを画像処理装置１に認識させる機能を有する。カスタマイズ部３３は原稿読取部２００で読み取られた原稿の画像にコード１７の画像が含まれていた場合、カスタマイズを実行する。これにより、原稿読取部２００で読み取られた原稿が指示用紙１１であることを、画像処理装置１に容易に認識させることができる。
【００６７】
ここまでは一般のユーザに対する操作キーのカスタマイズについて説明したが、サービスマンに対する操作キーをカスタマイズする態様でもよい。この態様ではサービスマン用の指示用紙が予め用意されている。図１０はサービスマン用の指示用紙２１の一例を示す図である。指示用紙２１にはサービスマンモードで使用する操作キーにおいて、カスタマイズすることができる操作キーの名称とチェックボックス２３が印刷されている。サービスマンはカスタマイズしたい操作キーについてチェックボックス２３に鉛筆等でチェックマーク２５を記載することにより、複数の操作キーの中でカスタマイズしたい操作キーを指示することができる。
【００６８】
指示用紙２１にはコード２７が設けられている。コード２７は図４に示すユーザ用の指示用紙１１に設けられたコード１７と対応している。コード２７はサービスマン用の指示用紙２１であることを画像処理装置１に認識させる。コード２７のその他の説明はコード１７と同じである。
【００６９】
図１１はサービスマン用にカスタマイズされた操作キーの一例を示す図である。指示用紙２１を用いて操作キーのカスタマイズ処理をした場合、図１１に示すようなカスタマイズされた操作キー２９の画面をタッチパネル４１１に表示できる。
【００７０】
サービスマン用の指示用紙２１に設けられるコード２７はユーザ用の指示用紙１１に設けられるコード１７と区別されている。したがって、画像処理装置１にユーザ用の指示用紙とサービスマン用の指示用紙を容易に区別して認識させることができる。また、指示用紙１１，２１をユーザ用とサービスマン用に分けることができるので、ユーザ用の指示用紙１１にはユーザが操作する操作キーを列挙でき、サービスマン用の指示用紙２１にはサービスマンが操作する操作キーを列挙できる。
【００７１】
操作表示部４００において所定の暗証番号を入力してサービスマンモードにし、操作キーをカスタマイズする場合、サービスマン以外の者に暗証番号が知られたら、勝手に操作キーをカスタマイズされたり、設定を変更されたりするおそれがある。これに対して、本実施形態では原稿読取部２００がコード２７を読み取ることにより、指示用紙２１がサービスマン用であることを画像処理装置１が認識して、操作キーをカスタマイズしている。このため、サービスマンモードにするための所定の暗証番号を設ける必要がなくなる。例えばＱＲコード又はバーコード等の図形コードを用いた場合、ユーザがこのようなコードを入力するのは困難なので、サービスマンモードのセキュリティを向上させることができる。
【００７２】
本実施形態においてさらに以下の態様が可能である。
【００７３】
(１)指示用紙１１，２１を図３の画像出力部３９から出力する。これによれば、指示用紙１１，２１を出力できるので、指示用紙１１，２１を画像処理装置１の販売又はレンタル等の際に付属品として添付する必要がなくなる。この態様は画像を用紙に形成して出力する画像出力部３９と、指示用紙１１，２１の画像を予め記憶する画像記憶部４１と、画像記憶部４１に記憶された画像データに基づいて指示用紙１１，２１を画像出力部３９から出力させる指示用紙出力制御部４５とによって実行される。画像出力部３９は図２の装置本体１００により実現される。画像記憶部４１は図２のメモリ部７００により実現される。指示用紙出力制御部４５は図２のＭＰＵ５００及びメモリ部７００等により実現される。
【００７４】
(２)画像処理装置１は追加機能部４７を追加可能に構成されている。カスタマイズ部３３は追加機能部４７が追加された場合、追加機能部４７が有する機能に応じて、指示用紙１１，２１において指示することができる複数の操作キーの内容を変更するように、画像記憶部４１に記憶されている指示用紙１１，２１の画像データを変更する。
【００７５】
追加機能部４７とは画像処理装置１に対してオプションとして追加できる機能であり、例えばフィニシャー、ソータのことである。この態様によれば追加機能についても操作キーをカスタマイズできる。
【００７６】
(３)画像処理装置１において個人認証されたユーザの操作履歴を記憶しておき、個人認証されたユーザが指示用紙１１，２１を出力する操作をした場合、画像出力部３９は操作履歴を基にして、該ユーザの使用頻度が高い操作キーを示した指示用紙１１，２１を出力する。これにより、ユーザは自己の使用頻度が高い操作キーについて簡単にカスタマイズできる。使用頻度が高い操作キーを示すとは、使用頻度が高い操作キーの名称の隣にマークをつけること、使用頻度が高い操作キーを他の操作キーと区分けして記載すること、使用頻度が高い順に並べること等である。
【００７７】
ここでのユーザを個人認証する認証部は、上述したステップＳ２１，Ｓ３１等の処理でユーザを個人認証する認証部と同じである。認証部で個人認証されたユーザの操作履歴は履歴記憶部に記憶される。履歴記憶部はメモリ部７００により実現される。
【００７８】
(４)本実施形態では一台の画像処理装置１を共用する複数のユーザにおいてユーザ毎に操作キーをカスタマイズできるようにしている。しかしながら、一台の画像処理装置１を共用する複数のユーザに対して、共通に操作キーをカスタマイズしてもよい。これによれば図５のステップＳ１９，Ｓ２１のユーザ登録をする操作が不要となる。複数のユーザに対して共通のカスタマイズされた操作キーがタッチパネル４１１の画面に表示される。
【００７９】
(５)本実施形態ではカスタマイズされた操作キーを基本画面に表示したが、基本画面よりも下の階層の画面に表示してもよい。
【００８０】
(６)本実施形態ではカスタマイズされた操作キーを一つ画面に表示したが、カスタマイズされた操作キーの数が多い場合、複数の階層の画面で操作キーを表示してもよい。
【００８１】
(７)本実施形態では画像処理装置１としてデジタル複合機を例に説明したが、原稿を読み取る機能を有する画像処理装置、例えば、コピー、ファクシミリ及びスキャナの少なくとも一つの機能を有する機器に本実施形態に係る画像処理装置１を適用してもよい。
【符号の説明】
【００８２】
１  画像処理装置
１１  指示用紙
１３  チェックボックス
１５  チェックマーク
１７  コード
１９  操作キー(ソフトキー)
２１  指示用紙
２３  チェックボックス
２５  チェックマーク
２７  コード
２９  操作キー(ソフトキー)
３１  表示制御部
３３  カスタマイズ部
３５  認証部
３７  登録部
３９  画像出力部
４１  画像記憶部
４３  履歴記憶部
４５  指示用紙出力制御部
４７  追加機能部
２００  原稿読取部
４００  操作表示部
４０１  スタートキー
４０３  テンキー
４０５  ストップキー
４０７  リセットキー
４０９  機能切替キー
４１１  タッチパネル
【図１】
2011114446.tif 000003
【図２】
2011114446.tif 000004
【図３】
2011114446.tif 000005
【図４】
2011114446.tif 000006
【図５】
2011114446.tif 000007
【図７】
2011114446.tif 000008
【図８】
2011114446.tif 000009
【図９】
2011114446.tif 000010
【図１０】
2011114446.tif 000011
【図１１】
2011114446.tif 000012
【図６】
2011114446.tif 000013